(57)【要約】【課題】  開閉扉をロックするプッシュラッチを意図せずにロック解除してしまうのを防止することができる収納キャビネットを提供する。【解決手段】  収納キャビネット１は、収納ボックス３の開口に開閉自在に設けられた開閉扉４と、開閉扉４を閉鎖位置でロックするとともに前記閉鎖位置でロックされた状態の開閉扉４をロック動作位置まで押し込むことでロックを解除するプッシュラッチ６と、前記閉鎖位置でロックされた状態の開閉扉４が前記ロック動作位置まで移動するのを規制する規制位置と、開閉扉４に対する移動の規制を解除する解除位置とを移動自在な規制部１０とを備えている。【選択図】      図３
2016118061.tif 000002
【特許請求の範囲】
【請求項１】
収納ボックスの開口に開閉自在に設けられた開閉扉と、
前記開閉扉を閉鎖位置でロックするとともに前記閉鎖位置でロックされた状態の前記開閉扉をロック解除位置まで押し込むことでロックを解除するプッシュラッチと、
前記閉鎖位置でロックされた状態の前記開閉扉が前記ロック解除位置まで移動するのを規制する規制位置と、前記開閉扉に対する移動の規制を解除する解除位置と、を移動自在な規制部と、を備えている
収納キャビネット。
【請求項２】
前記規制部は、
前記開閉扉と、前記収納ボックスの開口縁との間のすき間を通過して前方に延びている板状部と、
前記開閉扉の外部に位置するように前記板状部の先端に設けられ、前記規制部を移動させるための操作を受け付ける操作部と、を備えている請求項１に記載の収納キャビネット。
【請求項３】
前記収納ボックスの上面には天板が配置され、
前記開閉扉は、前記天板の直下に配置されている請求項１又は請求項２に記載の収納キャビネット。
【請求項４】
前記操作部は、前記天板の先端縁から突出しない位置に設けられている請求項３に記載の収納キャビネット。
【発明の詳細な説明】
【技術分野】
【０００１】
本発明は、例えば、システムキッチン等に用いられる収納キャビネットに関する。
【背景技術】
【０００２】
従来から、システムキッチン等に用いられる収納キャビネットには、開閉扉や引出しを閉鎖位置でロックするためにプッシュラッチが用いられることがある（例えば、特許文献１参照）。
上記プッシュラッチは、ロック状態にある開閉扉等が閉鎖位置からロック解除位置まで押し込まれると、開閉扉等に対するロックを解除するように構成されている。
【先行技術文献】
【特許文献】
【０００３】
【特許文献１】特開２０１０−１７８８１３号公報
【発明の概要】
【発明が解決しようとする課題】
【０００４】
上記プッシュラッチは、開閉扉をロック解除位置まで押し込むといった簡単な操作で当該開閉扉のロックを解除することができる一方、例えば、収納キャビネットを使用する使用者が開閉扉の前に立って作業を行う際に、当該使用者が開閉扉にもたれ掛かる等、誤って開閉扉をロック解除位置まで押し込んでしまった場合であってもロックを解除してしまうことがある。
このように、上記プッシュラッチは、簡単な操作でロックを解除することができる反面、使用者が意図せずに誤ってロックを解除してしまうことがあった。
【０００５】
本発明はこのような事情に鑑みてなされたものであり、開閉扉をロックするプッシュラッチを意図せずにロック解除してしまうのを防止することができる収納キャビネットを提供することを目的とする。
【課題を解決するための手段】
【０００６】
上記目的を達成するための本発明に係る収納キャビネットは、収納ボックスの開口に開閉自在に設けられた開閉扉と、前記開閉扉を閉鎖位置でロックするとともに前記閉鎖位置でロックされた状態の前記開閉扉をロック解除位置まで押し込むことでロックを解除するプッシュラッチと、前記閉鎖位置でロックされた状態の前記開閉扉が前記ロック解除位置まで移動するのを規制する規制位置と、前記開閉扉に対する移動の規制を解除する解除位置と、を移動自在な規制部と、を備えている。
【０００７】
上記構成の収納キャビネットによれば、開閉扉を開放する必要がない場合には、規制部を規制位置にしておけば、誤って開閉扉が押し込まれたとしても当該開閉扉がロック解除位置まで移動することがない。このため、プッシュラッチを意図せずにロックを解除してしまうのを防止できる。
一方、開閉扉を開放する必要がある場合には、規制部を解除位置にしておけば、開閉扉をロック解除位置まで押し込むことができ、プッシュラッチのロックを解除することができる。
【０００８】
上記収納キャビネットにおいて、前記規制部は、前記開閉扉と、前記収納ボックスの開口縁との間のすき間を通過して前方に延びている板状部と、前記開閉扉の外部に位置するように前記板状部の先端に設けられ、前記規制部を移動させるための操作を受け付ける操作部と、を備えていることが好ましい。
この場合、収納キャビネットの使用者は、開閉扉が設けられている収納キャビネットの前面側から規制部を操作することができる。
【０００９】
また、上記収納キャビネットにおいて、前記収納ボックスの上面には天板が配置され、
前記開閉扉は、前記天板の直下に配置されていることが好ましく、この場合、収納キャビネットを使用する使用者が意図せずに開閉扉を押圧するおそれが高くなるが、プッシュラッチのロックが意図せずに解除されるのを効果的に防止できる。
【００１０】
さらに、前記操作部は、前記天板の先端縁から突出しない位置に設けられていることが好ましく、この場合、使用者が意図せずに操作部に接触し、当該操作部が操作されてしまうのを防止することができる。
【発明の効果】
【００１１】
以上のように、本発明の収納キャビネットによれば、開閉扉をロックするプッシュラッチを意図せずにロック解除してしまうのを防止することができる。
【図面の簡単な説明】
【００１２】
【図１】本発明の一実施形態による収納キャビネットの断面図である。
【図２】開閉扉を開放したときの斜視図である。
【図３】（ａ）は、図１中、開閉扉４の部分を拡大した断面図であり、（ｂ）は、ロック動作位置にある開閉扉を示す図である。
【図４】規制部及び突起部を拡大した断面図である。
【図５】規制部及び突起部の位置関係を示す図であり、（ａ）は、規制位置にある規制部と突起部との位置関係を示す図、（ｂ）は、解除位置にある規制部と突起部との位置関係を示す図である。
【図６】規制部の背面側を示す図である。
【発明を実施するための形態】
【００１３】
次に、本発明の好ましい実施形態について添付図面を参照しながら説明する。図１は、本発明の一実施形態による収納キャビネットの断面図である。この収納キャビネット１は、上面にシンク２が設けられた天板１２を有する収納ボックス３と、当該収納キャビネット１を使用する使用者が立つ前方側の前面に設けられた開閉扉４とを備えている。
天板１２は、例えば、ステンレス鋼板等を用いて形成されており、シンク２が一体に形成されている。
【００１４】
収納ボックス３において、シンク２の下方は収納空間Ｓ１となっており、この収納空間Ｓ１には、例えば、前方に向けて出退自在に設けられた引出し（図示省略）が設けられている。
収納ボックス３において、シンク２の前方の空間も収納に用いられる収納空間Ｓ２とされている。開閉扉４は、シンク２の前方でかつシンク２と同じ高さに配置され、天板１２の直下に配置されている。開閉扉４は、収納空間Ｓ２の開口１３を塞ぐように開閉自在に設けられている。
【００１５】
図２は、開閉扉４を開放したときの斜視図であり、図３（ａ）は、図１中、開閉扉４の部分を拡大した断面図である。なお、図２は、収納ボックス３の天板を除いた状態で示している。
図２及び図３（ａ）を参照して、開閉扉４は、収納ボックス３の幅方向のほぼ全域に亘る横長の矩形形状とされた板状部材であり、その下端側が収納ボックス３の下枠５に設けられたヒンジ（図示省略）によって回動可能に取り付けられている。開閉扉４は、前記ヒンジによって、下端側の回動軸回りに開閉自在に設けられている。なお、図３（ａ）中、開放したときの開閉扉４を二点鎖線で示している。
【００１６】
開閉扉４の裏面上端部の幅方向ほぼ中央には、後述する規制部１０が当接する突起部１５が設けられている。突起部１５は、開閉扉４の裏面に対して適度に突出しており、規制部１０と当接可能に設けられている。
また、開閉扉４の裏面上端部には、後述する収納ボックス３側に設けられたプッシュラッチ６が係合する被ロック部７が左右一対設けられている。被ロック部７は、開閉扉４の裏面から突設されており、開閉扉４を閉鎖位置としたときに、プッシュラッチ６に挿入されるように形成されている。なお、閉鎖位置とは、開閉扉４が収納空間Ｓ２の開口１３を閉鎖したときの位置であり、図３（ａ）で示されている開閉扉４の位置である。
開閉扉４は、閉鎖位置においては、その上端側がプッシュラッチ６によってロックされる。
【００１７】
プッシュラッチ６は、収納ボックス３の上枠８の下面に設けられており、一対の被ロック部７に対応して左右一対設けられている。
プッシュラッチ６は、開閉扉４が閉鎖位置よりもさらに収納ボックス３内方側のロック動作位置まで押し込まれると、開閉扉４によって押し込まれる筒状部６ａを備えている。プッシュラッチ６は、被ロック部７が挿入された状態で、筒状部６ａが押し込まれると、被ロック部７に対して係合し、又は係合の解除を行うように構成されている。
つまり、プッシュラッチ６は、開閉扉４が閉鎖位置からロック動作位置まで押し込まれると、開閉扉４をロックし、又はロックの解除を行うように構成されている。
【００１８】
図３（ａ）では、閉鎖位置にある開閉扉４を示している。このとき、プッシュラッチ６の筒状部６ａは、開閉扉４に当接しているが、開閉扉４によって押し込まれてはいない。また、プッシュラッチ６は、被ロック部７に係合することで、開閉扉４を閉鎖位置でロックしている。
【００１９】
図３（ｂ）は、ロック動作位置にある開閉扉４を示す図である。ロック動作位置の開閉扉４は、閉鎖位置よりも収納ボックス３内方側に回動している。
このとき、プッシュラッチ６の筒状部６ａは、閉鎖位置よりも内方側に回動した状態のロック動作位置にある開閉扉４によって押し込まれている。
このように、プッシュラッチ６は、開閉扉４がロック動作位置に押し込まれると、筒状部６ａが押し込まれ、被ロック部７に対して係合し、又は係合の解除を行う。
【００２０】
よって、プッシュラッチ６は、開放位置にある開閉扉４を閉鎖位置にまで回動させ（図３（ａ））、さらに開閉扉４がロック動作位置（図３（ｂ））まで押し込まれると、当該プッシュラッチ６に挿入された状態にある被ロック部７に係合し、開閉扉４を閉鎖位置でロックする。
また、プッシュラッチ６は、閉鎖位置でロックされた状態の開閉扉４がロック動作位置（ロック解除位置）まで押し込まれると被ロック部７に対する係合を解除し、開閉扉４のロックを解除する。
【００２１】
図３（ａ）を参照して、上枠８の前面側には、閉鎖位置でロックされた開閉扉４がロック動作位置まで移動するのを規制する規制部１０が設けられている。
規制部１０は、開閉扉４が閉鎖位置にある状態で、開閉扉４がロック動作位置まで移動するのを規制する規制位置と、当該規制部１０による開閉扉４に対する移動の規制を解除する解除位置とを移動自在に設けられている。
【００２２】
規制部１０は、開閉扉４が閉鎖位置にある状態で、開閉扉４の裏面に設けられた突起部１５に当接することで、開閉扉４と、収納ボックス３の上枠８との間に介在し、開閉扉４が閉鎖位置から収納ボックス３内方側のロック動作位置まで移動するのを規制することができる。
規制部１０は、突起部１５の位置に対応して上枠８の幅方向ほぼ中央に設けられている。
【００２３】
図４は、規制部１０及び突起部１５を拡大した断面図であり、図５は、規制部１０及び突起部１５の位置関係を示す図である。
図４及び図５に示すように、規制部１０は、例えば、合成樹脂等によって形成されており、上枠８の前面８ａに当接している板状の垂直板部１０ａと、垂直板部１０ａの上端縁から前方に延びている板状の水平板部１０ｂ（板状部）とを備えており、断面Ｌ字形に形成されている。
【００２４】
垂直板部１０ａは、幅方向に横長の矩形状に形成されており、上枠８側に向かって突設された係合部１０ｃを備えている。垂直板部１０ａは、この係合部１０ｃによって、上枠８に係合した状態で幅方向に移動可能に設けられている。
図６は、規制部１０の背面側を示す図である。図４及び図６に示すように、係合部１０ｃは、幅方向に延びる一対の板状の突起であり、上枠８の前面８ａに形成されたスリット８ｂに挿入され、上枠８に係合している。
また、上枠８の背面には、矩形状の保持板１１が固定されている。保持板１１は、スリット８ｂに嵌め込まれて固定されているとともに、スリット８ｂに対応する位置にスリット１１ａが形成されている。
なお、図４では、理解を容易とするため、上枠８及び保持板１１は断面で示し、規制部１０は外観で示している。
【００２５】
係合部１０ｃは、保持板１１のスリット１１ａを介してスリット８ｂに挿入されている。また、係合部１０ｃは、スリット１１ａの内側面に摺接しつつスリット８ｂに沿って幅方向にスライド可能とされている。
係合部１０ｃの先端には、返り部１０ｃ１が形成されている。係合部１０ｃは、この返り部１０ｃ１と垂直板部１０ａとの間に、上枠８及び保持板１１を介在させることで、垂直板部１０ａが上枠８に当接した状態で幅方向にスライドして移動可能とし、上枠８に係合している。
このように、規制部１０は、垂直板部１０ａがスリット８ｂに沿って幅方向にスライド可能に係合することによって、スリット８ｂが許容する幅方向の範囲でスライド可能とされている。
【００２６】
図４及び図５を参照して、水平板部１０ｂは、頂点の１つが前方側に向いた三角形状に形成されており、閉鎖位置にある開閉扉４の上端面４ａと、収納ボックス３の上面に配置された天板１２の端縁下面１２ａとの間のすき間を通過して前方に延びている。水平板部１０ｂの先端（頂点）には、操作部１０ｂ１が形成されている。
なお、本実施形態において、天板１２は、収納ボックス３の上板を兼ねており、収納ボックス３の一部を構成している。
【００２７】
操作部１０ｂ１は、開閉扉４の前面４ｂに対して前方に突出しており、開閉扉４の外部に位置している。また、操作部１０ｂ１は、天板１２の前方端面１２ｂから突出しておらず、天板１２の前方先端縁から突出しない位置となるように形成されている。
収納キャビネット１の使用者は、この操作部１０ｂ１を把持し、規制部１０を幅方向に移動させることができる。つまり、操作部１０ｂ１は、規制部１０を移動させるための使用者による操作を受け付けることができる。このため、規制部１０は、使用者による操作によって幅方向に移動自在とされている。
なお、操作部１０ｂ１は、例えば、透明な素材によって形成されることが好ましく、これにより外観上目立たせることなく操作部１０ｂ１を設けることができる。
【００２８】
また、規制部１０は、上枠８に沿って幅方向に移動することで、開閉扉４がロック動作位置まで移動するのを規制する規制位置と、当該規制部１０による開閉扉４に対する移動の規制を解除する解除位置との間を移動する。
【００２９】
図５（ａ）は、規制位置にある規制部１０と突起部１５との位置関係を示す図である。
規制位置にある規制部１０は、開閉扉４が閉鎖位置にある状態で、開閉扉４の突起部１５に略当接している。
垂直板部１０ａの下端部には、前方に突出した突起１０ｄが設けられている。この突起１０ｄは、その先端１０ｄ１が、開閉扉４に設けられた突起部１５の先端面１５ａに略当接している。
また、垂直板部１０ａは、上述したように、収納ボックス３の上枠８に当接している。
これによって、規制部１０は、規制位置において、開閉扉４と、収納ボックス３の上枠８との間に介在している。開閉扉４は、規制部１０が当該開閉扉４と、収納ボックス３との間に介在することで、閉鎖位置からさらに収納ボックス３内方側へ向けた回動が規制される。
【００３０】
つまり、規制部１０を規制位置に移動させれば、開閉扉４が閉鎖位置からロック動作位置まで移動するのが規制され、プッシュラッチ６のロックが解除されるのを規制することができる。
【００３１】
図５（ｂ）は、解除位置にある規制部１０と突起部１５との位置関係を示す図である。
解除位置にある規制部１０は、開閉扉４が閉鎖位置にある状態で、開閉扉４の突起部１５に当接していない。
このため、開閉扉４は、閉鎖位置からさらに収納ボックス３内方側に回動するのを妨げるものはなく、ロック動作位置に回動することができる。
このように、規制部１０が解除位置にある場合、開閉扉４は、規制部１０による開閉扉４に対する移動の規制が解除され、閉鎖位置からロック動作位置まで回動することができる。よって、閉鎖位置でロックされた開閉扉４をロック動作位置に押し込めば、プッシュラッチ６のロックを解除することができる。
【００３２】
解除位置にある規制部１０を規制位置に移動させるには、使用者が操作部１０ｂ１を、図５（ｂ）中、矢印Ａの方向に移動させることで行われる。
ここで、規制部１０の突起１０ｄには、幅方向の端部から中央に向かうにしたがって漸次突起高さが増加するように形成された傾斜面１０ｄ２が設けられている。
このため、解除位置にある規制部１０を規制位置に移動させる際に、突起１０ｄが突起部１５に引っ掛かるのを抑制し、突起１０ｄと突起部１５とを滑らかに当接させることができる。
【００３３】
また、規制位置にある規制部１０を解除位置に移動させるには、使用者が操作部１０ｂ１を、図５（ｂ）中、矢印Ａと反対の方向に移動させることで行われる。
使用者が操作部１０ｂ１を操作することで、規制部１０を規制位置から解除位置に移動させれば、突起１０ｄは突起部１５に当接しない位置にまで移動する。よって、開閉扉４は、ロック動作位置に回動可能となる。
【００３４】
上述のように、収納キャビネット１の使用者は、規制部１０の操作部１０ｂ１を操作することによって規制部１０を幅方向に移動させ、規制部１０の位置を規制位置又は解除位置のいずれかを選択的に切り替えることができる。
【００３５】
このため、開閉扉４を開放する必要がない場合には、規制部１０を規制位置に移動させておけば、開閉扉４が閉鎖位置からロック動作位置（ロック解除位置）まで移動するのを規制することができるので、誤って開閉扉４が押し込まれたとしても当該開閉扉４がロック動作位置まで移動することがない。このため、プッシュラッチ６を意図せずにロックを解除してしまうのを防止できる。
一方、開閉扉４を開放する必要がある場合には、規制部１０を解除位置に移動させておけば、開閉扉４をロック動作位置まで押し込むことができ、プッシュラッチのロックを解除することができる。
【００３６】
また、本実施形態では、規制部１０が、開閉扉４と、天板１２の端縁下面１２ａ（収納ボックス３の開口縁）との間のすき間を通過して前方に延びている水平板部１０ｂ（板状部）と、開閉扉４の外部に位置するように水平板部１０ｂの先端に設けられ、規制部１０を移動させるための操作を受け付ける操作部１０ｂ１と、を備えているので、収納キャビネット１の使用者は、開閉扉４が設けられている前面側から規制部１０を操作することができる。
【００３７】
さらに、操作部１０ｂ１は、天板１２の前方先端縁から突出しない位置となるように設けられているので、使用者が意図せずに操作部１０ｂ１に接触し、操作部１０ｂ１が操作されてしまうのを防止することができる。
【００３８】
また、本実施形態において、開閉扉４は、天板１２の直下に配置されているため、収納キャビネット１を使用する使用者が意図せずに開閉扉４を押圧するおそれが高くなるが、上述の規制部１０によって、プッシュラッチのロックが意図せずに解除されるのを効果的に防止できる。
【００３９】
なお、本発明は上記実施形態に限定されるものではない。上記実施形態では、収納空間Ｓ２の開口１３を塞ぐように開閉自在に設けられている開閉扉４にプッシュラッチ６を設けた場合を例示したが、例えば、プッシュラッチによってロックされる引出しの正面板等、前後方向に開閉する開閉扉にプッシュラッチを設けた場合であっても適用することができる。
また、上記実施形態では、開閉扉４に突起部１５を設け、規制部１０を収納ボックス３に設けた場合を例示したが、収納ボックス３側に突起部を設け、開閉扉４側に規制部１０を設けてもよい。
【００４０】
また、上記実施形態では、収納ボックス３の上面に、シンク２が一体に形成されたステンレス鋼板製の天板１２を設けた場合を例示したが、この天板１２に代えて、例えば、上面が作業スペースとして用いられるシンク等が設けられていない天板であってもよいし、木製の天板や、洗面ボウル等が一体に形成された陶器製の天板であってもよい。
【符号の説明】
【００４１】
Ｓ１  収納空間
Ｓ２  収納空間
１  収納キャビネット
２  シンク
３  収納ボックス
４  開閉扉
４ａ  上端面
４ｂ  前面
５  下枠
６  プッシュラッチ
６ａ  筒状部
７  被ロック部
８  上枠
８ａ  前面
８ｂ  スリット
１０  規制部
１０ａ  垂直板部
１０ｂ  水平板部
１０ｂ１  操作部
１０ｃ  係合部
１０ｃ１  返り部
１０ｄ  突起
１０ｄ１  先端
１０ｄ２  傾斜面
１１  保持板
１１ａ  スリット
１２  天板
１２ａ  端縁下面
１２ｂ  前方端面
１３  開口
１５  突起部
１５ａ  先端面
【図１】
2016118061.tif 000003
【図２】
2016118061.tif 000004
【図３】
2016118061.tif 000005
【図４】
2016118061.tif 000006
【図５】
2016118061.tif 000007
【図６】
2016118061.tif 000008